Podtech/llm-jp-corpus-v4-ja_patent huggingface dataset:
(57)【要約】【課題】  白菜の採取に使用する湾曲した特殊な厄介な包丁を研ぐ際に使用する研ぎ台で、誰でも容易に研ぐことができるように構成した白菜用包丁研ぎ台を提供する。【解決手段】  両端部に固定用孔を設けた鉄等の重量を有する材質からなる長方角型で長手方向に緩やかに湾曲形成した板状の台板の上面の略全面に磁石を設けたことを特徴とする。【選択図】図１
2011121160.tif 000002
【特許請求の範囲】
【請求項１】
両端部に固定孔を設けた鉄等の重量を有する材質からなる板状の長方角型で長手方向へ緩やかに湾曲形成した台板の上面に磁石を設けたことを特徴とする白菜用包丁研ぎ台。
【請求項２】
所定厚さの長方角形でブロック状の台板の上面を長手方向へゆるやかに湾曲形成したことを特徴とする請求項１記載の白菜用包丁研ぎ台。
【発明の詳細な説明】
【技術分野】
【０００１】  本発明は野菜である白菜を採取する際に、白菜の品質を損なわず、商品価値を落とさないために開発された独特の機能、形状を有する白菜専用の包丁を研ぐ際に使用する白菜用包丁研ぎ台に関するものである。
【背景技術】
【０００２】  従来、白菜を採取する場合、一旦土から抜き取った白菜の根の部分を切り落とす際、片方の手で白菜を抱え、他方の手で持った草刈り用の鎌や包丁等で切り落とした後、不要の外側の葉を取り除いていたが鎌や包丁では的確に根の部分を取り除くことに手間がかかった。
そこで図２に示したような包丁本体の面を湾曲させた白菜専用の包丁が開発され、白菜の品質、形状を損なうことなく採取されるようになった。
【先行技術文献】
【０００３】
【特許文献】
【非特許文献】
【発明の概要】
【発明が解決しようとする課題】
【０００４】  しかし、開発された白菜用包丁は刃の本体が長手方向に湾曲形成されているため、従来の固定した砥石を使って研ぐことは難しく、又包丁を片手に持ち他方の手で砥石を持って研ぐことも簡単ではなく、熟練を必要とした。
本発明は湾曲形成された白菜用包丁を台の湾曲に従って確実に固定し、誰でも簡単で、安全正確に研ぐことができるように構成した白菜用包丁研ぎ台を提供することを目的とする。
【課題を解決するための手段】
【０００５】  上記目的を達成するため本発明は、両端部に固定用孔を設けた鉄等の重量を有する材質からなる長方角型で長手方向に湾曲形成した板状の台板の上面に磁石を設けたもので、必要に応じて台板を固定できるように台板の両側に固定用の孔を設けたものである。
【発明の効果】
【０００６】  上記のように構成された本発明は次のような効果がある。
ａ．台板が長方角型で白菜用包丁の湾曲に従って湾曲状に形成された包丁研ぎ台の上面に磁石が設けられていることによって包丁の全面が包丁研ぎ台に強く吸着固定されるので、砥石を包丁の刃の面に合わせ、片手でも確実に研ぐことができる。
ｂ．白菜用包丁の裏側を研ぐ場合は刃の湾曲面が逆になって吸着面が一部になり吸着力が弱くなるが、砥石を持たない他方の手で包丁の把手を持っていれば包丁は動かないので確実に研ぐことができる。
ｃ．本発明は白菜用包丁に限らず台所用包丁、小刀、除草用の鎌等を研ぐ際にも利用できる。
ｄ．研ぐ刃物の大きさや重量によって包丁研ぎ台が動く恐れのある場合は台板の長手方向の両側部に設けられた固定孔を利用し、ビス、ボルト等を利用して砂業台や大型の固定台に固定することによって、どのような刃物でも研ぐことができる。
ｅ．本発明の白菜用包丁研ぎ台の上面は白菜用包丁の把手を除いた部分と同じ程度の面積（磁石の大きさ）であるので持ち運びも簡単にできる。
ｆ．通常、包丁を研ぐ際、片方の手で磁石に接着させた包丁の把手を握り、他方の手で砥石の把手を握って前後に摺動させるので台板は鉄等の重量金属に限らず木材、合成樹脂材等でも包丁研ぎの作業に支障はない。
ｇ．台板の材料は安価であり、磁石も現在では安価で提供されているので本発明の白菜用包丁研ぎ台は大量生産が可能であり安価に提供できる。
【図面の簡単な説明】
【０００７】
【図１】  本発明の斜視図
【図２】  本発明の側面図
【図３】  白菜用包丁の斜視図
【図４】  白菜用包丁の側面図
【図５】  磁石の斜視図
【図６】  包丁を研ぐ状態を示した図
【図７】  本発明の他の実施例図
【発明を実施するための形態】
【０００８】  以下、本発明の実施の形態を図面に基ずいて説明する。
【０００９】  図１は本発明の斜視図、図２は本発明の側面図、図３は白菜用包丁の斜視図、図４は白菜用包丁の側面図、図５は砥石の斜視図、図６は白菜用包丁を研ぐ状態を示し図、図７は本発明の他の実施例図で図中の符号Ａは白菜用包丁研ぎ台、Ｂは白菜用包丁、Ｃは砥石を示す。
【００１０】  １は白菜用包丁研ぎ台の台板で、鉄等の或る程度重量を有する材質からなり、所定厚さの長方角形で、湾曲状に形成された白菜用包丁の湾曲度に合わせて全体が湾曲形成されている。
【００１１】  ２は台板１の長手方向の両側に設けられた固定用孔で、包丁を研ぐ際に台板１が動いて安定性を欠くようなことがあった場合にビス、ボルト等を利用して台板１を固定することができるようになっている。
【００１２】  ３は固定板１の固定孔２を設けた部分を除いた湾曲状の上面全体に設けた板状の磁石で、この磁石３の上面にに図６に示したように白菜用包丁Ｂを接着させ、砥石で包丁の刃を研ぐようになっている。
従って、包丁の裏面全体が接着され、包丁は包丁研ぎ台に固定されるので砥石を持った片手だけで研ぐことができる。
板状の磁石はゴム磁石又は合成樹脂磁石で可撓性があるので、湾曲自在に折り曲げ、自由な形状、長さに切断することができる。
【００１３】  ４は図４に示したように長手方向に湾曲状に折り曲げられた白菜用包丁Ｂの本体で、４ａは刃の部分を示し、５は白菜用包丁の把手を示す。
【００１４】  ６は白菜用包丁を研ぐ砥石Ｃの研ぎ部で、ダイヤモンドの粉末を表面に固着させたもので、優れた研磨効果のある研ぎ部で、７は砥石Ｃの把手を示す。
【００１５】  上記のように構成された本発明を実際に使用する場合は次にようになる。
図６に示したように、白菜用包丁Ｂの刃４ａが前方へ向くような状態で台板１上の磁石に接着させ、砥石Ｃの研ぎ部６を白菜用包丁Ｂの刃４ａの面に合わせ、把手５を握って磁石Ｃを前後に複数回軽く摺動させることによって白菜用包丁Ｂは鋭利な刃先に研ぎあがる。
尚、台板１は図７に示したように長方角型でブロック状の台の上面のみを長手方向に湾曲形成することによって重量が可なり増える難点はあるが包丁研ぎ台Ａは安定するので包丁が研ぎやすくなる。
【符号の説明】
【００１６】      １  台板
２  固定用孔
３  磁石
４  包丁本体
４ａ  刃
５  把手
６  研ぎ部
７  把手
Ａ  包丁研ぎ台
Ｂ  包丁
Ｃ  砥石
【図１】
2011121160.tif 000003
【図２】
2011121160.tif 000004
【図３】
2011121160.tif 000005
【図４】
2011121160.tif 000006
【図５】
2011121160.tif 000007
【図６】
2011121160.tif 000008
【図７】
2011121160.tif 000009
(57)【要約】【課題】昼間太陽の出ているときに太陽光熱を蓄熱しておき夜間や後日に太陽光熱を利用する。【解決手段】蓄熱する素材に、太陽光熱を取り入れる側に複層硝子で断熱をして、蓄熱する素材に太陽光を当て蓄熱する。蓄熱する素材を取り囲むように断熱材で断熱すれば太陽光熱を閉じ込めることが出来る。その閉じ込めた熱を後で開放して使用する。【選択図】図１
2011145047.tif 000002
【特許請求の範囲】
【請求項１】
昼間太陽の出ているときに太陽光熱を蓄熱しておき夜間や後日に太陽光熱の利用をするシステム。
【請求項２】
太陽光を取り入れる側に複層硝子で断熱をして蓄熱する素材に太陽光を当て蓄熱する。蓄熱する素材を取り囲むように断熱材で断熱すれば太陽光熱を閉じ込めることが出来る。その閉じ込めた熱を後で開放して使用する蓄熱システム。
【請求項３】
複層硝子は、太陽光を取り入れ熱を逃さないように何重にもする。複層硝子の硝子は、蓄熱する側には、熱に強い耐熱ガラスなどを使用する。蓄熱する素材は、なんでもいいが、具体的には、石、レンガ、オイルなどを使用する。蓄熱する素材を取り囲む断熱材は、熱に耐えられるものを使用するシステム。
【発明の詳細な説明】
【技術分野】
【０００１】      本発明は、太陽光熱を蓄熱することに関する。
【背景技術】
【０００２】      特許出願２００４−１５８５３７や特許出願２００１−１４９０７９他、のように太陽熱を搬送して蓄熱する物はあるが複層硝子をりようして直接蓄熱するものは無い、熱を搬送して蓄熱すると、搬送する過程で熱が放出してしまったり装置が複雑になるしコストも上がる。
【発明の概要】
【発明が解決しようとする課題】
【０００３】      昼間太陽の出ているときに太陽光熱を蓄熱しておき夜間や後日に太陽光熱の利用を実現することを目的とするものである。
【課題を解決するための手段】
【０００４】      本発明は上記の目的を達成するために、蓄熱する素材に、太陽光を取り入れる側に複層硝子で断熱をして、蓄熱する素材に太陽光を当て蓄熱する。蓄熱する素材を取り囲むように断熱材で断熱すれば太陽光熱を閉じ込めることが出来る。その閉じ込めた熱を後で開放して使用する蓄熱システムである。【０００５】      複層硝子は、太陽光熱を取り入れ熱を逃さないように何重にもする。複層硝子の硝子は、蓄熱する側には、熱に強い耐熱ガラスなどを使用する。蓄熱する素材は、なんでもいいが、具体的には、石、レンガ、オイルなどを使用する。蓄熱する素材を取り囲む断熱材は、熱に耐えられるものを使用する。
【発明の効果】
【０００６】      光熱費の節減になる。
【図面の簡単な説明】
【０００７】
【図１】本発明の実施形態を示す太陽光蓄熱システムの断面図。
【図２】仕上りイメージ図
【発明を実施するための形態】
【０００８】      以下本発明の実施の形態を１図に基づいて説明する。
【０００９】      蓄熱する素材に、符号１，２，３の硝子、耐熱硝子、空気層で作った複層硝子を取り付ける。  蓄熱する素材に蓄熱された熱が逃げないように符号５の断熱材で囲う。符号６の開閉機を付ける。
【産業上の利用可能性】
【００１０】      光熱費の節減になるので利用可能性は大きい。
【符号の説明】
【００１１】１  硝子
２  耐熱硝子
３  空気層
４  蓄熱する素材
５  断熱材
６  開閉機
７  太陽光熱
【図１】
2011145047.tif 000003
【図２】
2011145047.tif 000004
【手続補正書】
【提出日】平成22年3月3日(2010.3.3)
【手続補正１】
【補正対象書類名】図面
【補正対象項目名】図３
【補正方法】追加
【補正の内容】
【図３】
2011145047.tif 000005
【手続補正２】
【補正対象書類名】明細書
【補正対象項目名】０００７
【補正方法】変更
【補正の内容】
【０００７】
【図１】本発明の実施形態を示す太陽光蓄熱システムの断面図。
【図２】仕上りイメージ図（断面図）。
【図３】特許出願２００９−２３１９５７のような、造りの住宅に使用する太陽光蓄熱システム本体の断面図
【手続補正書】
【提出日】平成22年3月3日(2010.3.3)
【手続補正１】
【補正対象書類名】特許請求の範囲
【補正対象項目名】請求項２
【補正方法】変更
【補正の内容】
【請求項２】
太陽光を取り入れる側に複層硝子で断熱をして蓄熱する素材に太陽光を当て蓄熱する。蓄熱する素材を取り囲むように断熱材で断熱すれば太陽光熱を閉じ込めることが出来る。その閉じ込めた熱を後で開放して使用する蓄熱システム。
特許出願２００９−２３１９５７のような、造りの住宅は、蓄熱された熱が逃げないように、すでに断熱材で囲われているので、太陽光発電蓄熱システム本体には、断熱材は、必要が無い。蓄熱する素材も太陽光蓄熱システム本体には、必要が無い。
【手続補正書】
【提出日】平成22年3月3日(2010.3.3)
【手続補正１】
【補正対象書類名】明細書
【補正対象項目名】０００４
【補正方法】変更
【補正の内容】
【０００４】    本発明は上記の目的を達成するために、蓄熱する素材に、太陽光を取り入れる側に複層硝子で断熱をして、蓄熱する素材に太陽光を当て蓄熱する。蓄熱する素材を取り囲むように断熱材で断熱すれば太陽光熱を閉じ込めることが出来る。その閉じ込めた熱を後で開放して使用する蓄熱システムである。
特許出願２００９−２３１９５７のような、造りの住宅は、蓄熱された熱が逃げないように、すでに断熱材で囲われているので、太陽光発電蓄熱システム本体には、断熱材は、必要が無い。蓄熱する素材も太陽光蓄熱システム本体には、必要が無い。
(57)【要約】【課題】  従来の加湿するための道具は、電気を使用した加湿器のみが主流で、他に加湿するにはタオル等を濡らして置いておくくらいしか方法がなかった。【解決手段】  抗菌の吸収性スポンジを利用し、それによってティッシュに水を吸わせ、湿気を発散させることで、どこでも手軽で簡単にそして長時間加湿することができる。【選択図】図２
2011145048.tif 000002
【特許請求の範囲】
【請求項１】
抗菌の吸水性スポンジの形状は楕円の半分の柱型であり、両側面及び下面それと芯を通す部分には、型崩れを防ぎ、また水を早急に蒸発させず漏れないようにコーティングがされており、使用する際にはその表面にティッシュを被せ、水を含ませることによって加湿を促すというティッシュを利用した加湿するための道具。
【発明の詳細な説明】
【技術分野】
【０００１】  本発明は、乾燥している室内等を加湿するための道具である。
【背景技術】
【０００２】  従来は、電気を使用した加湿器やタオル等を水で濡らして加湿をしている。
【発明の概要】
【発明が解決しようとする課題】
【０００３】  これまでは主に電気を使用した加湿器しか加湿するための道具はなかった。【０００４】  本発明は、どんな場所においても手軽で簡単に加湿を可能にするものである。
【課題を解決するための手段】
【０００５】  そして、本発明は図１の抗菌の吸水性スポンジから図２にあるようにティッシュに水を吸わせて、それにより加湿を促すというものである。
【発明の効果】
【０００６】  本発明によって、どんな場所においても手軽で簡単に加湿することができる。
【図面の簡単な説明】
【０００７】
【図１】  本発明の抗菌の吸収性スポンジの形態図。
【図２】  本発明の実施概要図。
【発明を実施するための形態】
【０００８】  図１における抗菌の吸水性スポンジに十分な水を含ませる。
【０００９】  それを図２によるプラスチック等の錆びない材質でできたハンガー型及びスタンド型等の器具に差し込んで取り付け、その上にティッシュを被せ、水を行き渡らせて湿気の発散効果をもたらすことにより使用する。
【図１】
2011145048.tif 000003
【図２】
2011145048.tif 000004
(57)【要約】      （修正有）【課題】正ｎ角形の面積はｎ個の二等辺三角形の面積と同じであるが、その大きさを実感することはかなり難しい。また、１つの角の大きさを求めることも容易ではない。従来は円に内接する正ｎ角形の性質を理解するには平面上の図形での説明に頼る方法がほとんどであった。正ｎ角形の性質、面積や角の大きさを小道具を用いて理解できるようにする。【解決手段】直方体から正ｎ角形柱に変形できるような直角三角柱を２ｎ個連結した。このことによって正ｎ角形の面積を求める際、直方体の側面の長方形の面積と変化後の正ｎ角柱の底面の正ｎ角形の面積が同じということを実感しやすく、また、このことを用いて簡単に正ｎ角形の面積を求めることができる。さらに、正ｎ角形の１つの角の大きさは、直角三角形の直角以外の残りの角の大きさを表示しておくだけで簡単に求めることができるなど、正ｎ角形の性質を理解するために十分な役目を果たすことができる小道具。【選択図】図１
2011145634.tif 000002
【特許請求の範囲】
【請求項１】
直方体から正ｎ角形柱に変形できるような直角三角柱を２ｎ個連結した。このことによって正ｎ角形の面積を求める際、直方体の側面の長方形の面積と変化後の正ｎ角柱の底面の正ｎ角形の面積が同じことを用いて簡単に正ｎ角形の面積を求めることができる。また、正ｎ角形の１つの角の大きさは直角三角形の直角以外の残りの角の大きさを表示しおくだけで簡単に求めることができるなど、正ｎ角形の性質を理解するために十分な役目を果たすことができる小道具である。
【発明の詳細な説明】
【技術分野】
【０００１】
【背景技術】
【０００２】
【先行技術文献】
【０００３】
【非特許文献】
【０００４】
【発明の概要】
【発明が解決しようとする課題】
【０００５】  正ｎ角形の面積はｎ個の二等辺三角形の面積と同じであるが、その大きさを実感することはかなり難しい。また、１つの角の大きさを求めることも容易ではない。
【課題を解決するための手段】
【０００６】  直角三角柱で連結された直方体が正ｎ角形柱に変化することによって、直方体の側面の長方形が正ｎ角形に変化したことが実感でき、長方形の面積を求めれば、簡単に正ｎ角形の面積を求めることができることが理解できる。また、直角三角形の２つの角の大きさを表示しておけば、正ｎ角形の１つの角の大きさも簡単に求められる。
【図面の簡単な説明】
【０００７】
【図１】  直角三角柱１０個を連結し、直方体にしたもの。それぞれの連結面は２つの大きさの違う長方形でその長方形の対角線の交点部分に面と垂直になるような回転軸（ビスなど）で連結されている。これは正５角柱になる。
【図２】  図１の１の連結面
【図３】  図１の２の連結面
【図４】  直角三角柱の底面で、角のＣ大きさは３６°  斜辺ＡＣの大きさを１０ｃｍとすると、高さＡＢの大きさは１０ＳＩＮ３６°ｃｍ  底辺ＢＣの大きさは１０ＣＯＳ３６°ｃｍ
2011145634.tif 000003
【符号の説明】
【０００８】図１の１は直角三角柱の１つの連結面
図１の２は直角三角柱のもう１つの連結面
図２の１は対角線の交点
図３の１は対角線の交点
図４のＡ、Ｂ、Ｃは直角三角形の頂点および角の大きさ
【図１】
2011145634.tif 000004
【図２】
2011145634.tif 000005
【図３】
2011145634.tif 000006
【図４】
2011145634.tif 000007
(57)【要約】【課題】タッチパネルを具備して使用する表示機などにおいて、タッチパネルの簡易な交換作業を可能とする。【解決手段】表示機の筐体側にタッチパネルユニットを案内するガイドを設け、タッチパネルユニットを装着する。タッチパネルユニット側と表示機側にそれぞれコネクタまたは接点を配備し、タッチパネルを定位置に装着する作業と同時に電源ラインおよび信号ラインをつなぐ。表示機側またはタッチパネルユニット側にロック機構を設け、タッチパネルユニットを表示機に固定する。【選択図】図１
2011145921.tif 000002
【特許請求の範囲】
【請求項１】
タッチパネルを具備した据え置き型の表示機において、前記タッチパネルを別ユニットで分離し、前記タッチパネル端面に固定された受給側コネクタと、前記表示機の定位置に固定された供給側コネクタを有し、前記タッチパネルユニットを容易に表示部に定位置固定する構造をもつことを特徴とする表示機。
【発明の詳細な説明】
【技術分野】
【０００１】
本発明は、タッチパネルに関するものである。
【背景技術】
【０００２】
表示機に装着するタッチパネルは数多く存在する。その多くのタッチパネルが表示機のディスプレイ画面に貼り付けている一体型構造である。
【０００３】
タッチパネル一体型表示機の構成上、タッチパネルの電源や信号ラインを接続するためのフレキシブル基板と接続先のコントローラ基板のコネクタは表示機内部に装備されているため、簡易にタッチパネルを着脱することは不可能である。
【０００４】
また、タッチパネル自身も表示機に貼り付けてあるため、簡易に着脱することは不可能である。
【先行技術文献】
【特許文献】
【０００５】
【特許文献１】実開昭６１−０００６４１号
【発明の概要】
【発明が解決しようとする課題】
【０００６】
解決しようとする問題点は、表示機にタッチパネルを装着して使用する入力装置において、タッチパネルの故障等でタッチパネル自身を交換する作業が容易にできない点である。
【課題を解決するための手段】
【０００７】
本発明は、タッチパネルをタッチパネルユニットとして独立させ、タッチパネルユニットを表示機に貼り付けることなく簡易に固定することを最も主要な特徴とする。
【発明の効果】
【０００８】
本発明のタッチパネルユニットは、容易に交換作業ができるため作業者を限定することがなく、また修復に時間がかからないという利点がある。
【図面の簡単な説明】
【０００９】
【図１】タッチパネルユニットの構成を示した説明図である。（実施例１）
【図２】表示機側の構成を示すための説明図である。（実施例１）
【発明を実施するための形態】
【００１０】
作業者がコネクタの着脱などの作業を意識することなく、タッチパネルユニットの一連の着脱作業の中でタッチパネルの電源および信号ラインの接続や切断を実現した。
【実施例１】
【００１１】
図１はタッチパネルユニットの構成を示すための説明図であり、１はタッチパネル、２はベースプレート、３はコネクタ（受給側）である。図２は表示機側の構成を示すための説明図であり、４はディスプレイ、５はガイドフレーム、６はコネクタ（供給側）、７は固定用蓋である。
【００１２】
タッチパネルユニットは透明なベースプレート２にタッチパネル１を貼り付けた構成となっている。タッチパネルの入力視差の影響を小さくするため、ベースプレート２はなるべく薄いものを選定する。
【００１３】
表示機側に内蔵されるタッチパネルのコントローラ基板に接続するためのコネクタ（受給側）３をタッチパネルユニットの側面に配置する。
【００１４】
タッチパネルユニットの挿入は表示機のガイドフレーム５に沿ってタッチパネルユニットを挿入する。コネクタ（受給側）３がコネクタ（供給側）６に接触し、さらにタッチパネルユニットを押し込むことで接続される。
【００１５】
固定用蓋７を閉め、ロックすることでタッチパネルユニットが定位置に固定される。
【産業上の利用可能性】
【００１６】
表示機のディスプレイにタッチパネルを装着して使用する入力装置全般に適用できる。
【符号の説明】
【００１７】
１    タッチパネル
２    ベースプレート
３    コネクタ（受給側）
４    ディスプレイ
５    ガイドフレーム
６    コネクタ（供給側）
７    固定用蓋
【図１】
2011145921.tif 000003
【図２】
2011145921.tif 000004
(57)【要約】【課題】光線式検知装置の変調光を確実に検波すること。【解決手段】光線式検知装置のヘテロダイン検波方式ではＣＰＵから局部発信器に異なる周波数毎に異なる矩形波を入力することにより混合器（ミキサー）の周波数変換を正確に行うミキサー部を備えた。【選択図】図２
2011145116.tif 000002
【特許請求の範囲】
【請求項１】
光線式検知装置において、投光器から受光器に達する変調光を、ヘテロダイン方式を用い、局部発振周波数を変えることにより、複数の異なる変調周波数の光線を検波する回路を備えたことを特徴とする光線式検知装置。
【発明の詳細な説明】
【技術分野】
【０００１】
本発明は、変調光を発する投光器と、この変調光を受ける受光器とで構成される光線式検知装置の検波方式に関するものである。
【背景技術】
【０００２】
光線式検知装置は、投光器と受光器を所定の距離だけ離して設置するものである。投光器から受光器に達する変調光は、複数設置するときには誤動作を防止する目的で異なる変調周波数の光線を使用するが、従来は異なる変調周波数の検波方式として、異なる周波数毎に同調用コンデンサとトランジスタを実装し、回路を切り替えて使用していた。
【発明の開示】
【発明が解決しようとする課題】
【０００３】
従来の光線式検知装置の異なる変調周波数の検波方式として、異なる周波数毎に同調用コンデンサとトランジスタを実装し、回路を切り替えて使用する為、異なる周波数分の回路が必要で、回路の規模が大きくなりコストアップになっていた。
【課題を解決するための手段】
【０００４】
本発明では、投光器から受光器に達する変調光を、ヘテロダイン検波を用いることにより、局部発振周波数を変えるだけで複数の異なる変調周波数の光線を検波する回路を備えた。
【発明の効果】
【０００５】
本発明の光線式検知装置のヘテロダイン検波方式は、従来の異なる周波数毎に同調用コンデンサとトランジスタを実装し、回路を切り替えて使用する構造とは異なり、ヘテロダイン検波方式を用いる事により、異なる周波数に対しても一つの回路で信号処理が可能となり、回路の規模を大きく縮小することができる。
【図面の簡単な説明】
【０００６】
【図１】本発明以前の従来方式の回路の概念を示した図である。
【図２】本発明の回路の概念を示した図である。
【発明を実施するための最良の形態】
【０００７】
図１は、従来の光線式検知装置の検波方式のブロック図である。図２は、本発明の光線式検知装置のヘテロダイン検波方式のブロック図である。従来の検波方式では異なる周波数毎にコンデンサとトランジスタの組合せをＣＰＵ、もしくは選択スイッチで切り替えて検波していた。本発明のヘテロダイン検波方式ではＣＰＵから局部発信器に異なる周波数毎に異なる矩形波を入力することにより混合器（ミキサー）の周波数変換を行う。
【０００８】
図１は従来の回路であり、例として、４種類の周波数の電気信号が選択できる回路をあげている。
投光される変調光は、受光素子１にて電気信号に変換され、同調用コンデンサ２及び同調用コイル３と選択される周波数によりＣＰＵ１１で選択された周波数選択用トランジスタ５と同調用コンデンサ４で、選択すべき周波数の電気信号として取り出される。
しかし、実用上は周波数選択がこの一段だけの回路では十分ではなく、２段目として、トランジスタ６に接続された同調用コンデンサ８及び同調用コイル７と選択される周波数によりＣＰＵ１１で選択された周波数選択用トランジスタ１０と同調用コンデンサ９で、選択すべき周波数の電気信号が取り出される。
したがって十分な性能を得ようとすれば同調用コイル３及び同調用コイル７は十分に調整されなければならない
【０００９】
図２の回路は本発明の概念図である。
投光される変調光は、受光素子２０にて電気信号に変換され、同調用コンデンサ２１及び同調用コイル２２で周波数が選択されるが、ここでは従来回路の様な選択度は必要なく、実用上無調整である。
周波数選択された電気信号と、ＣＰＵ２５に接続されている局部発信器２４で作成された電気信号が、トランジスタ２３で構成されるミキサー回路に入力され、ミキサー回路内部でそれぞれの信号の和と差の混ざり合った信号ができる。
その電気信号を中間周波数に同調するように調整された同調コイル２９と同調コンデンサ３０により、中間周波数の電気信号として取り出す。
しかし、このままでは、ゲイン、選択度が十分では無いのでトランジスタ２８、同調コイル２６、同調コンデンサ２７で構成される中間周波数増幅器で周波数の選択度とゲインを得る。
【００１０】
したがって、調整は同じ２カ所でも同調コイルの調整は中間周波数に調整すればよく、調整工程の簡略化が図れる。
周波数切り替えも局部発振周波数の変更だけでよく、多数のトランジスタで切り替えなくても所望の周波数選択が得られる。
【符号の説明】
【００１１】
１・・・受光素子
２・・・同調用コンデンサ
３・・・同調用コイル
４・・・同調用コンデンサ
５・・・周波数選択用トランジスタ
６・・・トランジスタ
７・・・同調用コイル
８・・・同調用コンデンサ
９・・・同調用コンデンサ
１０・・・周波数選択用トランジスタ
１１・・・ＣＰＵ
２０・・・受光素子
２１・・・同調用コンデンサ
２２・・・同調用コイル
２３・・・トランジスタ
２４・・・局部発信器
２５・・・ＣＰＵ
２６・・・同調用コイル
２７・・・同調用コンデンサ
２８・・・トランジスタ
２９・・・同調用コイル
３０・・・同調用コンデンサ
【図１】
2011145116.tif 000003
【図２】
2011145116.tif 000004
(57)【要約】【課題】天然温泉に炭酸水を化合生成するため配管装置にすること、または、移動設置の可能ができ、しかも化合調整操作が簡単であることを特徴とする。【解決手段】本発明によって、高額な設備投資がおさえられ、比較的簡単な装置でもって、湯量、化合調整を設けたことにより炭酸水温泉が得られる。本提供によって、地域資源を活用することになり、よって地域事業の育成と地域の観光産業開発となる。【選択図】なし【特許請求の範囲】
【請求項１】
温泉源泉における湧出泉の温泉成分に、公知の炭酸水湧出泉の炭酸水成分を化合生成とした温泉を特徴とした。
【請求項２】
温泉成分に炭酸水成分を化合生成成分とする効果装置を設けたことを特徴とした。
【請求項３】
上記成分は、化合してなる同一湧出泉効果を特徴とした。
【請求項４】
請求項３の分析項目値が公知の炭酸水の密度、濃度調整燃操作が簡単に出来ることを特徴とした。
【請求項５】
上記記載において本発明趣旨を逸脱しない範囲の変更は、本発明に含まれる。
【発明の詳細な説明】
【技術分野】
【０００１】本発明は、温泉から得られる多くの効能は、公知である。温泉の特色を各地で保有されているのも人気を呼んでいる。既存の温泉に天然炭酸水の湧出泉を化合生成する天然物質化合生成製造装置に関する。安価な製造装置として簡単に設置することができ、しかも、化合生成操作が簡単にできることを特徴とする。
【背景技術】
【０００２】各地の温泉は、源泉から湧出する温泉成分溶存を湯元単一温泉成分掲示し、利用をしている。
【発明の開示】
【発明が解決しようとする課題】
【０００３】本発明は、公知の炭酸水温泉効能、効果を特徴とすることの既存の温泉に、化合生成使用に特色をもった活用であり、源泉から湧出される化合生成物質を本発明によって確保できる。製造コストが安価で、安全性、安心で安価に提供する。規模の拡大によって大型化は都度発生によって製造を可能とする。
【課題を解決するための手段】
【０００４】本発明の装置は、温泉成分、炭酸水成分生成割合調整を備えることにより特色のある化合生成温泉として、調整でき、ローコストな装置システムである。
【発明の効果】
【０００５】本発明のシステムは、炭酸水温泉効能が期待され確保できる。【０００６】本発明での成形物質は、源泉湧出を充填にした成形である。【０００７】上記は、資源の有効資源化を図ることにより健康維持対策に有効である。【０００８】炭酸水調整により特色のある温泉となる。源泉湧出が温泉と炭酸水からの天然物質は、双方調整が可能であり特色のあるシステム活用ができる。
【発明を実施するための最良の形態】
【０００９】本発明は、温泉源泉の湧出泉の密度、成分、濃度供給を化合生成物質製造装置に成形することを可能とする。【００１０】炭酸水の化合手段は湧出泉からの配管にしたことを特徴とする。【００１１】炭酸水の化合調整量を温泉室内においたことを特徴とする。【００１２】温泉、炭酸水化合生成の適量維持管理をシステム化にしたことを特徴とする。【００１３】炭酸水温泉を前面なるイメージ効果を可能にしたことを特徴とする。
【産業上の利用可能性】
【００１４】本発明は、対象物のあるところに移動設置ができることから合理化ならびに作業能率に関する。【００１５】温泉の特色を炭酸水温泉にした事の集客イメージをとらえる観光ルートを活かす。
製造装置のサイズの変更により少量又は大量に化合生成活用できる。
(57)【要約】【課題】従来のスキンケアでは、身体の汚れを落とす目的の商品として石鹸やボディソープ、シャンプーなどがありましたが、これらのスキンケア商品では、皮脂や、皮膚の常在菌を落し切れるものではありませんでした。そこで酢のもつ酸性による殺菌力、皮脂分解力に着目しました。ただ酢は臭いの強いもので、とてもこれをスキンケアにするアイデアがなかった為に、これら用途の商品がありませんでした。【解決手段】酢のもつ酢酸の臭いを少なくする為に、飲料で使われるフルーツ香料、特に柑橘系のレモンなどフルーツ香料を加える事で、酢酸の臭いが緩和し、スキンケアとして使えるようにしました。【特許請求の範囲】
【請求項１】
酢は本来、食品として使われており、医療行為としては、まれに、きずや炎症に対する薬の代用としての利用はあったが、その程度の扱いであった。本発明は、風呂場で身体を洗う前に噴霧器を使って、酢を皮膚全体に散布する事により、かゆみ、体臭、フケ防止などに効力があるのを発見し、酢に香料などを加え、酢酸の臭いを緩和する事で、食品としての酢を、一般人がスキンケア商品として使いやすいようにつくり変えたものです。
酢の製造会社や、スキンケア関連会社も考えつかない着想で、用途の特許として、申請するものであります。
【発明の詳細な説明】
【技術分野】
【０００１】本発明は、風呂場での身体を洗う前に、足の先から頭皮まで全身の皮膚に噴露器を使って行うスキンケアに関する。
【発明の概要】
【発明が解決しようとする課題】
【０００２】従来の風呂場での身体を洗う行為は、石鹸やボディソープを使って汚れを落とし  頭はシャンプーなどで汚れを落とすものであるが、皮脂や皮膚の常在菌（主に黄色ブドウ球菌、白癬菌、澱風菌）などを十分に落しきれないものであった。【０００３】本発明は従来のこのような問題を解決しようとするものであり、身体を洗う前に酢を噴霧器を使って全身に散布する事で、酢の酸性による殺菌力と皮脂分解力によって、常在菌の中でも、酸性に弱い上記の常在菌の繁殖がおさえられ、また皮脂が落ちる事で、肌が清潔になり、身体のかゆみの緩和、水虫の予防、皮膚の汚れによる体臭の緩和やフケ防止、粘膜の炎症の緩和、炎症の緩和により粘膜及び皮膚の自己治癒力を高めるなど、今までの全身を洗う行為では、不十分であった汚れ落としを補助する事を目的とするものであるが、酢酸の臭いは強くこのままでは多くの人がスキンケアとして使えるものではない。
【課題を解決する為の手段】
【０００４】そこで本発明は、上記目的を達成する為に食品として用いられている穀物酢に、柑橘系の香料又はライチなどの香りの強い物を組み合せることによって、酢酸のもつ臭いを軽減し、噴霧したときに、酢の臭いが緩和されたスキンケア商品に作り変えたものである。
また第２の課題解決手段は、さらに水を加える事で、更に臭いも和らぎ、酸性値も弱くなる為に、肌にやさしいスキンケアとして赤ちゃんから老人まで年齢幅広く使えるものとするものである。
【発明の効果】
【０００５】上記したように本発明のスキンケアは、酢の殺菌力と酢の皮脂分解力を利用して、今まで食品としての穀物酢に、柑橘系の香料を加えることにより、酢の臭いが緩和され、食品としての穀物酢を別の用途のスキンケア商品として、使用者の不快感を軽減したものである。
【発明を実施するための形態】
【０００６】本発明は、穀物酢に主に飲料に使用されているフルーツ香料を加えたものである。
もう１つは、穀物酢に、上記香料を加えたものに、水を加えたものである。
また、使用者は、これらスキンケアを、風呂場で噴霧器を使って、足の先から頭皮まで散布するものであるが、身体はなるべく水にぬれない状態で散布し、あとは手でよく皮膚になじませるようにして、約３分から５分位待ってから、石鹸やボディソープ、シャンプーなどで、身体の汚れを落とします。
【産業上の利用可能性】
【０００７】本発明は、主に風呂場で石鹸やボディソープ、シャンプーなどを使って洗う前に、本発明のスキンケアを全身の皮膚に散布するもので、今までに使っていた上記のバススキンケア商品に、とって変わるものではありません。洗う前の別の用途として、皮膚の殺菌、皮脂を落しやすくするものです。歯みがきや身体や頭を洗うのと同じように、基本的に毎日行うもので、その行為は身体の衛生面から考えると、予防医療につながるものであり、医療費削減にも貢献するものであります。本発明のスキンケアを毎日行う事で、粘膜を含めた皮膚の衛生が保たれ、水虫予防、体臭の軽減、かゆみの緩和、フケ防止、粘膜の炎症緩和、炎症緩和による自己治癒力を高める、鼻の中に吸引すれば、風邪予防にもつながる事や、ステロイド多用防止など、使用者には多くのメリットがあり、しかも安価で購入できるものであり、老若男女問わず、多くの人が利用できるものであります。また国内はもちろん、諸外国においても、風呂場で身体を洗う前にスキンケアする行為は、おそらくなく、穀物酢をベースにしたスキンケア商品もないと思われるので、世界的な産業として、成り立つものであり、それが実現すれば、世界の多くの人が、このスキンケアのメリットを享受できるものと信じます。その結果、多くの人々が予防医療の大切さを認識し、予防医療の発展、世界の医療費削減につながればと思います。
(57)【要約】【課題】植物の薬効成分組成技術で有効成分組成を食品との融合性に優れた汎用活用し食品添加物に発揮し得る、液体物質、固体物質、顆粒物質、粉末物質の加工製造法は，高額な設備投資を押さえ、比較的簡単な装置を用い、作業技術でもって大量生産することを特徴とした。【解決手段】本発明は、上記諸課題を解決し、植物薬効成分組成効用の有効性は、地域の天然資源を活用することで地域事業を育成し、地域の産業開発となる。【特許請求の範囲】
【請求項１】
植物の薬効成分組成抽出を液体物質、固体物質、顆粒物質、粉末物質等の加工抽出を得たことを特徴とする。
【請求項２】
植物の薬効成分組成抽出を食品の融合性に優れて得たことを特徴とする。
【請求項３】
請求項２に請求項１の単一、混合によって植物薬効成分組成を得ことを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、植物の薬効成分抽出製造に関するものである。【０００２】植物の組成は類似しており、機能性において類似機能が期待できる。【０００３】植物の薬効成分組成を、液体物質、固体物質、顆粒物質、粉末物質の利便性に関するものである。
【背景技術】
【０００４】薬効成分物質の抽出は、依然として各種の個別対応をし、抽出物質の性状対策に汎用性がないまま、対象物質の限定薬効成分組成の抽出が実態である。対象薬効成分物質を、液体物質、固体物質、顆粒物質、粉末物質等の汎用を視野に入れ、積極的に効果が追求でき得る技術を提供する。
【発明の開示】
【発明が解決しようとする課題】
【０００５】前記従来、植物の薬効組成、機能は類似していることから、液体物質は、液体のまま用いられ、高額の容器、設備投資を要しているが、本発明の、薬効成分抽出製造は、液体物質、固体物質、顆粒物質、粉末物質加工抽出は、容易に確実、しかも添加、混合、攪拌が一体型でもって効果が得られる。【０００６】本発明は、このような実状に鑑みなされたものであり，植物薬効成分物質を技術開発でその提供を目的とする。
【課題を解決するための手段】
【０００７】課題を解決するため、本発明技術は、有効成分の液体物質，固体物質、顆粒物質、粉末物質薬効成分、組成を対象多物質質構造に汎用活用を図ったことによる、好ましい選択の合理的構成が得られ、この発明に到達した。
【発明の効果】
【０００８】以上のように、本発明技術は、有効成分を無駄なく発揮され食品との融合性に優れ、汎用され、食品添加物への期待は大きい。【０００９】日配加工食品、醗酵食品、飲料品，酒類等に植物薬効成分組成は効用を発揮されることを特徴とする。【００１０】天然素材の有用な植物は、各地域の地域資源の利用技術となり、しかも、天然資源の活用から安定供給ができ、規模の自在設定ができることからも地域産業に貢献することを特徴とする。
【発明を実施するための最良の形態】
【００１１】本発明は、対象薬効成分組成を、液体物質、固体物質、顆粒物質、粉末物質薬効成分組成加工を図ることの汎用性。つまり、選択による好ましい効果が得られる。【００１２】上記技術でもって、本発明趣旨を逸脱しない範囲の変更は、本発明に含まれることを特徴とした。
【産業上の利用可能性】
【００１３】本発明の、植物薬効成分組成の抽出する製造方法は、天然素材の加工技術によることを特徴としている。【００１４】上記、地域の天然資源を活用することで産業上の利用可能性を有する。
(57)【要約】      （修正有）【課題】手帳の大きさ、手帳の厚さにも対応可能とし、各種の太さのペン類の収納可能とし、さらに手帳が過不足なく入り、セットとして共布でつくられた、保護用の手帳収納袋付き手帳用カバーで、手帳やシステム手帳などを汚れから保護するための手帳収納袋付き手帳用カバーを提供する。【解決手段】手帳カバー（１）の本体は、折り曲げ部、表紙部、差込部との３つの部分からなり、手帳の厚さに合わせてカバーの厚みを調節するために、差し込み部と反対側の、裏表紙部に、押さえベルトを設け、その上に薄型スチールシートを貼り付ける。また、折り曲げ部の内側になる部分には、平面マグネットコードを貼り付ける。また、本発明の手帳袋（８）の本体は、袋状にし、内がわの側面に付けたペンホルダーにペンを納め、手帳収納時に、上部を閉じておくために、紐通し部に一本づつ通してある紐を、両サイドから引く。【選択図】図５
2011051323.tif 000002
【特許請求の範囲】
【請求項１】
（イ）本発明の手帳カバー（１）の本体は、折り曲げ部（２）、表紙部（３）、差込部（４）との３つの部分からなり、手帳の厚さに合わせてカバーの厚みを調節するために、差し込み部と反対側の、裏表紙部に、押さえベルト（５）を設け、その上に薄型スチールシート（６）を貼り付ける。
（ロ）また、折り曲げ部の内側になる部分には、平面マグネットコード（７）を貼り付ける。
（ハ）また、本発明の手帳袋（８）の本体は、袋状にし、内がわの側面に付けたペンホルダー（９）にペンを納め、手帳収納時に、上部を閉じておくために、紐通し部に一本づつ通っている紐を、両サイドから引く。
本発明は以上のように構成された手帳収納袋付き手帳用カバー。
【発明の詳細な説明】
【技術分野】
【０００１】  本発明は、手帳の大きさに対応し、手帳の厚さにも対応可能となるように工夫をし、各種の太さのペン類の収納も可能となるように工夫し、さらに手帳が過不足なく入り、よりファッショナブルにおしゃれになるために、セットとして共布でつくられた、保護用の手帳収納袋付き手帳用カバーで、手帳やシステム手帳などを汚れから保護するための手帳収納袋付き手帳用カバーに関するものである。
【背景技術】
【０００２】  従来、一般的な手帳やシステム手帳はそのままの状態で使用するものである。
【先行技術文献】
【０００３】
【特許文献１】  特開２００９−１２６０７８号公報
【特許文献２】  特開２００９−１１９８３７号公報
【特許文献３】  特開２００８−１３７３０７号公報
【特許文献４】  特開２００７−１６０９１１号公報
【特許文献５】  特開２００６−１５０９２２号公報
【発明の概要】
【発明が解決しようとする課題】
【０００４】  手帳やシステム手帳をそのままの状態でバックの中に入れたりして持ち歩く場合、バック内のペットボトルや湿ったハンカチなどの水分で手帳の大切な紙の部分が濡れたり汚れたりすることがあった。
また、手帳の保護と同時に、手帳のデザインにカラフルでおしゃれなものが少ないことも問題であった。
本発明は以上の問題点を解決するためになされたものである。
【問題を解決するための手段】
【０００５】（イ）本発明の手帳カバー（１）の本体は、折り曲げ部（２）、表紙部（３）、差込部（４）との３つの部分からなり、手帳の厚さに合わせてカバーの厚みを調節するために、差込部と反対側の、裏表紙部に、押さえベルト（５）を設け、その上に薄型スチールシート（６）を貼り付ける。
（ロ）また、折り曲げ部の内側になる部分には、平面マグネットコード（７）を貼り付ける。
（ハ）また、本発明の手帳袋（８）の本体は、袋状にし、内がわの側面に付けたペンホルダー（９）にペンを納め、手帳収納時に、上部を閉じておくために紐通し部に一本づつ通してある紐を、両サイドから引く。
本発明は以上のように構成された手帳収納袋付き手帳用カバー。
【発明の効果】
【０００６】  従来、そのまま持ち歩いていた手帳を、本発明により、汚れることが少なくなり、いつまでも美しく保護することが可能になった。
また、手帳カバーと手帳袋を同じ色、柄、同じ材質でセットにすることによって、実用面だけでなく、手帳をよりファッショナブルにおしゃれなものとすることが可能となった。
【図面の簡単な説明】
【０００７】
【図１】本発明の手帳カバーの斜視図である。
【図２】手帳カバーの使用状態を示した平面図である。
【図３】手帳カバーの使用状態を示した断面図である。
【図４】本発明の手帳収納袋の斜視図である。
【図５】本発明の手帳収納袋と手帳用カバーの使用状態を示した説明図である。
【発明を実施するための形態】
【０００８】  以下、本発明の実施の形態を説明する。
本発明の手帳カバー（１）の本体は、折り曲げ部（２）、表紙部（３）、差込部（４）との３つの部分からなり、手帳の厚さに合わせてカバーの厚みを調節するために、差し込み部と反対側の、裏表紙部に、押さえベルト（５）を設け、その上に薄型スチールシート（６）を貼り付ける。
また、折り曲げ部の内側になる部分には、平面マグネットコード（７）を貼り付ける。
また、本発明の手帳袋（８）の本体は、袋状にし、内がわの側面に付けたペンホルダー（９）にペンを納め、手帳収納時に、上部を閉じておくために紐通し部に一本づつ通してある紐を、両サイドから引く。
本発明は以上のように構成された手帳収納袋付き手帳用カバー。
【０００９】  次に本発明の使用方法を説明する。
折り曲げ部（２）を伸ばして平らにしてから、手帳の片方の表紙を差込部（４）に奥までしっかりと差し込む。
もう一方の表紙の端を押さえベルト（５）の下に通し、折り曲げ部（２）で手帳の厚みに合わせてしっかりと折り込む。
その際に折り曲げ部分（２）に貼り付けられた平面マグネットコード（７）と、押さえベルト（５）の上に貼り付けられた薄型スチールシート（６）とをしっかりと合わせる。
手帳袋を使用するには、紐（１０）を伸ばして開口部を最大に開け、ペンホルダー（９）にペンを納めた後、手帳を収納し、紐通し部分（１１）に入っている紐を両方向から引っ張り、手帳袋の口を閉める。
手帳やシステム手帳の大きさに対応したカバーを作り、平面状のマグネットと、薄いスチールシートを使用することにより、手帳の厚さに応じて手帳カバーの厚みも調節可能となるような工夫している。
また、手帳収納袋は、袋の内がわ側面にペンホルダーを付けることによって、手帳とペンが同時に収納できる。
また、手帳カバーと収納袋は柔らかく薄手でしかも張りと腰があり、ある程度の防水性があって丈夫な材質が望ましい。
また、発色性があり、美しい色、柄のものが望ましい。
本発明の手帳カバーと収納袋は、よりおしゃれに、また、デザイン性、ファッション性を高めるために、同じ色柄、同じ材質を共布でセットにして用いる。
【符号の説明】
【００１０】１  手帳カバー
２  折り曲げ部
３  表紙部
４  差込部
５  押さえベルト
６  薄型スチールシート
７  平面マグネットコード
８  手帳袋
９  ペンホルダー
１０  紐
１１  紐通し部
【図１】
2011051323.tif 000003
【図２】
2011051323.tif 000004
【図３】
2011051323.tif 000005
【図４】
2011051323.tif 000006
【図５】
2011051323.tif 000007
(57)【要約】      （修正有）【課題】小型軽量化および意匠性、見栄えに優れ、天然素材模様を美しく再現した、付加価値と商品価値の高い天然素材模様転写樹脂パネルを提供する。【解決手段】真空成形金型によって成形、小型化され、２次加工不要の天然素材模様及び創作デザインを転写した、美しい天然素材模様転写樹脂パネル。【選択図】なし【特許請求の範囲】
【請求項１】
真空成形用金型によって成形、小型化され、２次加工不要の、天然素材模様及び創作デザインを転写した、美しい天然素材模様転写樹脂パネル。
【請求項２】
真空成形用金型によって成形、小型化され、２次加工不要の、天然素材模様及び創作デザインを転写した、美しい天然素材模様転写樹脂パネル。
【発明の詳細な説明】
【技術分野】
【０００１】  垣根などのエクステリア、目隠しパネル、室内用インテリア。
【技術背景】
【０００２】  一般的な、樹脂製垣根用パネルは、樹脂の押し出し成形により製造されていて、パネル表面のデザインもシールに頼るなど、どうしても平面的にならざるを得ない。
【発明が解決しようとする課題】
【０００３】  従来品は、樹脂の押し出し成形が主であり、製品が大きくなりがちで、デザイン的に平坦な面が多く、シールを貼るなど２次加工が多かった。（例えば、特許文献１参照。）
【０００４】
【特許文献１】  特許公開平１１−１０７５８６号公報（段落０００２〜００２７、第１図）
【課題を解決するための手段】
【０００５】  真空成形用金型によって成形、小型化され、２次加工不要の、天然素材模様及び創作デザインを転写した、美しい天然素材模様転写樹脂パネル。
【発明の効果】
【０００６】  請求項１に係る発明により、真空成形用金型にて量産された、天然素材模様転写樹脂パネルは小型軽量化され、破損時のパネル交換が安易となる。
【０００７】  更に天然素材模様転写樹脂パネルの部分交換は、別デザインの天然素材模様転写樹脂パネルと差替えることで新たなデザイン効果を生み、意匠性と見栄えを高める事となる。
【０００８】  この様々な天然素材模様や創作デザインを組み合わせた、天然素材模様転写樹脂パネルは、一体成形により２次加工なしの状態で迅速に、製品化される。
【発明を実施するための最良の形態】以下、本発明を図面と共に詳細に説明する。【０００９】  図１は、天然素材模様転写樹脂パネル全体▲１▼を示す図面（三角法）である。【００１０】  天然素材模様転写樹脂パネル▲１▼は、真空成形金型により成形され、戸外エクステリア仕様の天然素材模様転写樹脂パネル▲１▼は、耐候性に優れたＡＥＳ樹脂を使用、室内インテリア仕様の天然素材模様転写樹脂パネルは、ＰＳ／ＰＰ樹指を使用した、環境に適合する仕様となる。【００１１】  この天然素材模様転写樹脂パネルおける、図１／図２で示す天然素材模様は、実際の木目▲２▼を凸形状▲７▼に転写したもの、縦割りした竹▲３▼の節目を素材どおり転写したもの、落ち葉▲４▼の創作デザインなどを凸形状に転写したものを現す。▲４▼▲８▼▲９▼の創作デザインは、凸形状に転写出来れば、どのようなデザインを用いても構わない。さらに１ｍｍの肉厚中に切欠き部▲５▼を設けると、通気性とデザイン性がより一層高まった。【００１２】  真空成形金型により成形された、天然素材模様転写樹脂パネルの肉厚▲７▼は、１ｍｍ平均となり、全周のフチ▲６▼部分が周辺パネルと重なり、ビス留め代となる。この天然素材模様転写樹脂パネルの連結は、組み込む枠組みの巾と関連する。例えば図３で示す巾９０ｃｍの枠組みは、縦５０ｃｍ（１段）ｘ横４７ｃｍ（重なり部分含む。）の天然素材模様転写樹脂パネル▲１▼が２枚必要となる。従って、枠組みのサイズによって天然素材模様転写樹脂パネルの枚数を増やす事となる。【００１３】  見栄えのするように、異なるデザインの天然素材模様転写樹脂パネル▲１▼（図３／図４）を自由自在に組み合わせても良いし、枠組みの両面にビス留めしてさらに意匠性を高めても良いと思われる。小型軽量の天然素材模様転写樹脂パネル▲１▼は、通気部切欠き▲５▼を増やせば強風を和らげられるし、地震の際はコンクリートブロック塀のような倒壊がなく、被害を最小に押さえられる。【００１４】  又、天然素材模様転写樹脂パネル中の、天然素材模様▲２▼▲３▼や、創作デザイン部▲４▼▲８▼▲９▼の凸部分は、高さ１ｍｍから用途に応じては、５０ｍｍ以上の高さを出す事が可能である。通常は、▲２▼▲３▼の凸部分を５〜２０ｍｍとし、▲４▼▲８▼▲９▼のデザイン部の凸部分は１〜１５ｍｍ位が標準となる。【００１５】  そして、天然素材模様▲２▼▲３▼及び、創作デザイン部▲４▼▲８▼▲９▼へは、市販の塗料を吟味した上で、自由に着色ができる。部分的に色を加える事により、格段に意匠性が高まり視覚的効果が生まれる。
【図面の簡単な説明】
【図１】  本発明の一実施例を示す天然素材模様転写パネルの正面図、右側側面図。
【図２】  図１のＡ−Ａ断面（拡大図）、図１のＢ−Ｂ断面（拡大図）
【図３】  天然素材模様転写樹脂パネルを組み込んだ枠組み（２枚重ねタイプ）の正面図。
【図４】  天然素材模様転写樹脂パネルを組み込んだ枠組み（４枚重ねタイプ）の正面図。
【図１】
2011051325.tif 000002
【図２】
2011051325.tif 000003
【図３】
2011051325.tif 000004
【図４】
2011051325.tif 000005